(57)【要約】【課題】タイミングチェーンカバーからの放射音の発生を抑制しながらボルトを用いることなくオイルジェットを支持可能なタイミングチェーンのオイル供給構造を実現できるようにする。【解決手段】エンジン１には、タイミングチェーン３０をガイドするチェーンガイド３３と、チェーンガイドを含めエンジン側面を覆うタイミングチェーンカバー４２とが設けられている。エンジンの出力軸方向に延びるオイルジェット５０は、内部に油路を有し、エンジンの出力軸方向の一端部５０ｂはエンジンに設けられた支持孔に支持され、その他端部５０ｃはタイミングチェーンカバーと当接しない位置にまで延びている。オイルジェットの他端部とタイミングチェーンカバーとの間には、チェーンガイド３３と一体で且つオイルジェットの他端部５０ｃと当接する押さえ部３３ａが設けられている。【選択図】図６
2018084214.tif 000002
【特許請求の範囲】
【請求項１】
エンジン本体の出力軸により駆動されるタイミングチェーンと、該タイミングチェーンにオイルを供給するオイルジェットとを備えたタイミングチェーンシステムのオイル供給構造であって、
前記エンジン本体には、前記タイミングチェーンの走行をガイドするチェーンガイドと、前記エンジン本体における前記タイミングチェーン及びチェーンガイドを含む側面から間隔をおいて覆うタイミングチェーンカバーとが設けられ、
前記オイルジェットは、前記エンジン本体の出力軸方向に延びると共にその内部に油路を有する中空部材であり、
前記オイルジェットにおける前記エンジン本体の出力軸方向の一端部は、前記エンジン本体に設けられた支持孔によって支持される一方、前記オイルジェットにおける前記エンジン本体の出力軸方向の他端部は、前記タイミングチェーンカバーと当接しない位置にまで延びており、
前記出力軸方向における、前記オイルジェットの前記他端部と前記タイミングチェーンカバーとの間には、前記チェーンガイドと一体で、且つ前記オイルジェットの前記他端部と当接する押さえ部が設けられているタイミングチェーンシステムのオイル供給構造。
【請求項２】
請求項１に記載のタイミングチェーンシステムのオイル供給構造において、
前記押さえ部は、前記エンジン本体の出力軸方向から見て、前記押さえ部の一端が前記オイルジェットの前記他端部と当接し、前記押さえ部の他端が前記チェーンガイドを介して前記エンジン本体に保持された板状部材であるタイミングチェーンシステムのオイル供給構造。
【請求項３】
請求項２に記載のタイミングチェーンシステムのオイル供給構造において、
前記エンジン本体の上方から見て、前記押さえ部の他端は、前記押さえ部の一端よりも、出力軸方向の前記タイミングチェーンカバー側にずれているタイミングチェーンシステムのオイル供給構造。
【請求項４】
請求項１又は２に記載のタイミングチェーンシステムのオイル供給構造において、
前記チェーンガイドは、前記エンジン本体と締結するボルト孔を有し、
前記ボルト孔は、前記チェーンガイドにおける前記オイルジェットの前記他端部の近傍に設けられており、
前記押さえ部は、前記ボルト孔の近傍の部位から延設されているタイミングチェーンシステムのオイル供給構造。
【請求項５】
請求項４に記載のタイミングチェーンシステムのオイル供給構造において、
前記押さえ部は、前記オイルジェットの他端部の幅寸法とほぼ同等の幅を有しているタイミングチェーンシステムのオイル供給構造。
【請求項６】
請求項１〜５のいずれか１項に記載のタイミングチェーンシステムのオイル供給構造において、
前記タイミングチェーンは、前記出力軸に設けられたスプロケットと噛合しており、
前記オイルジェットは、前記スプロケットとの噛み込み位置の近傍に配設されているタイミングチェーンシステムのオイル供給構造。
【発明の詳細な説明】
【技術分野】
【０００１】
本発明は、エンジン等に設けられるタイミングチェーンシステムのオイル供給構造に関する。
【背景技術】
【０００２】
下記の特許文献１に記載されるように、ボルトを用いずにオイルジェットを固定する手段として、タイミングチェーンカバーにエンジンの出力軸方向に延びる押さえ部を設け、オイルジェットにおけるシリンダブロック側の端部の反対側部分を押さえるようにする構成が知られている。
【先行技術文献】
【特許文献】
【０００３】
【特許文献１】特開２００４−３４６８９５号公報（第１３図）
【発明の概要】
【発明が解決しようとする課題】
【０００４】
特許文献１に記載の発明においては、オイルジェットのシリンダブロック（以下、単にブロックとも呼ぶ。）側の端部が、エンジン本体に取り付けられている。このため、エンジンの作動時の振動がオイルジェットを介してタイミングチェーンカバーに入力され、該タイミングチェーカバーから放射音が発せられる虞がある。
【０００５】
この放射音の発生を抑制する手段として、タイミングチェーンカバーの振動入力源、ここでは押さえ部の周囲をボルト等によってブロックと剛結することが考えられる。
【０００６】
しかしながら、オイルジェットから噴射されたオイルをタイミングチェーンに確実に供給するためにタイミングチェーンの近傍にオイルジェットを配設しようとすると、タイミングチェーン及びスプロケットとの位置関係から、ボルト締結用のボスをオイルジェットの近傍に設けることが困難となる。
【０００７】
本発明は、前記従来の問題を解決し、タイミングチェーンカバーからの放射音の発生を抑制しながら、ボルトを用いることなくオイルジェットを支持可能なタイミングチェーンシステムのオイル供給構造を実現できるようにすることを目的とする。
【課題を解決するための手段】
【０００８】
前記の目的を達成するため、本発明は、タイミングチェーンカバーから間隔をおいて配設されたチェーンガイドと一体に設けられた押さえ部によりオイルジェットのシリンダブロックと反対側の端部を押さえる構成とする。
【０００９】
具体的に、本発明は、タイミングチェーンシステムのオイル供給構造を対象とし、次のような解決手段を講じた。
【００１０】
すなわち、第１の発明は、エンジン本体の出力軸により駆動されるタイミングチェーンと、該タイミングチェーンにオイルを供給するオイルジェットとを備えたタイミングチェーンシステムのオイル供給構造であって、エンジン本体には、タイミングチェーンの走行をガイドするチェーンガイドと、エンジン本体におけるタイミングチェーン及びチェーンガイドを含む側面から間隔をおいて覆うタイミングチェーンカバーとが設けられ、オイルジェットは、エンジン本体の出力軸方向に延びると共にその内部に油路を有する中空部材であり、オイルジェットにおけるエンジン本体の出力軸方向の一端部は、エンジン本体に設けられた支持孔によって支持される一方、オイルジェットにおけるエンジン本体の出力軸方向の他端部は、タイミングチェーンカバーと当接しない位置にまで延びており、出力軸方向における、オイルジェットの他端部とタイミングチェーンカバーとの間には、チェーンガイドと一体で、且つオイルジェットの他端部と当接する押さえ部が設けられている。
【００１１】
このように、タイミングチェーンカバーは、タイミングチェーン及びチェーンガイドを含むエンジンの側面から間隔をおいて覆うと共に、オイルジェットの外側の端部とタイミングチェーンカバーとの間には、チェーンガイドと一体の押さえ部が、オイルジェットの外側の端部と当接するように設けられている。従って、エンジンの作動時の振動がオイルジェットを介してタイミングチェーンカバーに入力されることを防止できるので、タイミングチェーンカバーからの放射音の発生を抑制することができる。また、押さえ部はチェーンガイドと一体に設けられているため、該押さえ部を構成する追加の部品が不要となるので、エンジンの組み立て時の作業工程が増えることがない。
【００１２】
第２の発明は、上記第１の発明において、押さえ部は、エンジン本体の出力軸方向から見て、押さえ部の一端がオイルジェットの他端部と当接し、押さえ部の他端がチェーンガイドを介してエンジン本体に保持された板状部材であってもよい。
【００１３】
これによれば、押さえ部として、オイルジェットの他端部を側方から押さえる板状部材としたことにより、該押さえ部がばねとして作用する。すなわち、押さえ部に板ばねの作用を利用することにより、オイルジェットの他端部を適当な力で押さえることができる。
【００１４】
第３の発明は、上記第２の発明において、エンジン本体の上方から見て、押さえ部の他端は、該押さえ部の一端よりも、出力軸方向のタイミングチェーンカバー側にずれていてもよい。
【００１５】
これによれば、押さえ部がオイルジェットの他端部に対して、出力軸方向のタイミングチェーンカバー側にずれた分だけ角度を付けて当接する。このため、オイルジェットの軸線方向に作用する押さえ力が生じやすくなるので、オイルジェットを適切に支持することができる。
【００１６】
第４の発明は、上記第１又は第２の発明において、チェーンガイドは、エンジン本体と締結するボルト孔を有し、該ボルト孔は、チェーンガイドにおけるオイルジェットの他端部の近傍に設けられており、押さえ部はボルト孔の近傍の部位から延設されていてもよい。
【００１７】
これによれば、特に、押さえ部が板状部材の場合には、板ばねの作用を効果的に得ることができる。
【００１８】
第５の発明は、上記第４の発明において、押さえ部は、オイルジェットの他端部の幅寸法とほぼ同等の幅を有していてもよい。
【００１９】
これによれば、押さえ部をコンパクトに形成することができるので、タイミングチェーンで囲まれた領域が狭くても、該タイミングチェーンがばたつく領域を避けて押さえ部を配設することができる。
【００２０】
第６の発明は、上記第１〜第５の発明において、タイミングチェーンは、出力軸に設けられたスプロケットと噛合しており、オイルジェットは、スプロケットとの噛み込み位置の近傍に配設されていてもよい。
【００２１】
これによれば、オイルジェットと、スプロケット及びタイミングチェーンとの間隔を小さくすることができるので、オイルポンプの油圧を低減でき、その結果、燃費を改善することが可能となる。
【発明の効果】
【００２２】
本発明によれば、タイミングチェーンカバーからの放射音の発生を抑制しながら、ボルトを用いることなくオイルジェットを支持可能なタイミングチェーンのオイル供給構造を実現することができる。
【図面の簡単な説明】
【００２３】
【図１】図１は本発明の第１の実施形態に係るタイミングチェーンシステムのオイル供給構造を備えた車両用のエンジンの変速速機側を示す側面図（タイミングチェーンカバーは図示せず）である。
【図２】図２は図１のタイミングチェーンカバーを示す正面図である。
【図３】図３は本発明の第１の実施形態に係るタイミングチェーンシステムに用いるタイミングチェーンガイドを示す斜視図である。
【図４】図４は本発明の第１の実施形態に係るタイミングチェーンシステムに用いるオイルジェットを示す斜視図である。
【図５】図５は図１のタイミングチェーンガイドを含む領域を示す部分斜視図である。
【図６】図６は図５のVI−VI線における気筒軸方向を示す断面図である。
【図７】図７は本発明の第２の実施形態に係るタイミングチェーンシステムに用いるタイミングチェーンガイドを含む領域を示す部分斜視図である。
【発明を実施するための形態】
【００２４】
以下、本発明の実施形態を図面に基づいて詳細に説明する。以下の好ましい実施形態の説明は、本質的に例示に過ぎず、本発明、その適用物又はその用途を制限することを意図しない。
【００２５】
（第１の実施形態）
本発明の第１の実施形態について図面を参照しながら説明する。
【００２６】
図１はタイミングチェーンシステムのオイル供給構造を備えた車両用のエンジンの変速速機側の側面を表している。ここでは、タイミングチェーン等の駆動用のチェーンを覆うチェーンカバーの図示を省略している。
【００２７】
図１に示すように、エンジン１は、例えば、火花点火式内燃機関として構成されている。エンジン１は、図示は省略するが、車両における前部のエンジンルーム内で、いわゆる横置きに搭載される。但し、エンジン１は縦置きであってもよい。気筒数には制限はないが、例えば直列４気筒である。エンジン１のシリンダブロック２の下部に設けられた出力軸であるクランク軸１０は、変速機（図示せず）を介して駆動輪に連結されている。クランク軸１０の端部には、エンジン１側から、タイミングチェーン３０の巻き掛け用の第１スプロケットであるクランク軸スプロケット１１（図６を参照。）と、オイルポンプ用チェーン３１の巻き掛け用の第２スプロケットであるオイルポンプ用チェーンスプロケット１２と、変速機等に連結されるフライホイール（図示せず）と複数のボルトにより締結されるフライホイール締結プレート１３とが、順次設けられている。このように、本実施形態においては、タイミングチェーン３０を変速機側に設ける、いわゆるリアチェーンシステムを採る。
【００２８】
シリンダブロック２の上側に連結されたシリンダヘッド３には、クランク軸１０の軸方向に互いに平行に延びる吸気カム軸１４及び排気カム軸１５が設けられている。吸気カム軸１４の端部及び排気カム軸１５の端部には、給気カムスプロケット１６及び排気カムスプロケット１７がそれぞれ取り付けられている。各カムスプロケット１６、１７の少なくとも一方には、可変バルブタイミング（ＶＶＴ）機構が設けられていてもよい。
【００２９】
シリンダブロック２の側部には、燃料ポンプ駆動軸１８と、該燃料ポンプ駆動軸１８のシリンダブロック２側に取り付けられた燃料ポンプ用スプロケット１９と、燃料ポンプ駆動軸１８における燃料ポンプ用スプロケット１９の外側に取り付けられたカムチェーンスプロケット２０とが設けられている。
【００３０】
タイミングチェーン３０は、クランク軸スプロケット１１と、燃料ポンプ用スプロケット１９とに巻き掛けられている。また、カムチェーン３２は、給気カムスプロケット１６及び排気カムスプロケット１７と、カムチェーンスプロケット２０とに巻き掛けられている。
【００３１】
シリンダブロック２の下側に連結されたロアシリンダブロック４の下方には、オイルポンプ駆動軸２１と、該オイルポンプ駆動軸２１に設けられたオイルポンプ用スプロケット２２とが配設されている。
【００３２】
タイミングチェーン３０には、クランク軸１０と燃料ポンプ駆動軸１８との間の張り側スパンの走行をガイドするタイミングチェーンガイド３３が、シリンダブロック２に取り付けられている。タイミングチェーンガイド３３におけるクランク軸１０側のボルト４３の近傍の端部には、該端部からタイミングチェーン３０のクランク軸スプロケット１１との噛み込み部の近傍にまで延伸する押さえ部３３ａが設けられている。該押さえ部３３ａの裏側（エンジン本体側）には、内部に油路を有し、タイミングチェーン３０とクランク軸スプロケット１１との噛み込み部に潤滑油（オイル）を噴射するオイルジェット５０が設けられている。オイルジェット５０におけるシリンダブロック２側の端部は、該シリンダブロック２に設けられた油路を含む孔部（支持孔）に嵌合される。タイミングチェーンガイド３３の押さえ部３３ａは、オイルジェット５０の外側（シリンダブロック２と反対側）の端部と当接して該オイルジェット５０を支持する。従って、オイルジェット５０におけるエンジン１の出力軸方向の外側の端部は、タイミングチェーンカバー４２（図６を参照。）とは接しない。なお、本実施形態に係るタイミングチェーンガイド３３に設けられた押さえ部３３ａ、及びオイルジェット５０の詳細な構成は後述する。
【００３３】
タイミングチェーン３０におけるクランク軸１０と燃料ポンプ駆動軸１８との間の緩み側スパンには、タイミングチェーンテンショナアーム３４を介して、タイミングチェーン３０の緩み側に張力を付与するタイミングチェーンテンショナ（油圧オートテンショナ）３５が、シリンダブロック２に保持されている。
【００３４】
同様に、カムチェーン３２には、燃料ポンプ駆動軸１８と吸気カム軸１４との間の張り側スパンの走行をガイドするカムチェーンガイド３６が、シリンダブロック２に保持されている。さらに、カムチェーン３２における燃料ポンプ駆動軸１８と排気カム軸１５との間の緩み側スパンには、カムチェーンテンショナアーム３７を介して、カムチェーン３２の緩み側に張力を付与するカムチェーンテンショナ（油圧オートテンショナ）３８が、シリンダブロック２に保持されている。
【００３５】
オイルポンプ用チェーン３１には、クランク軸１０とオイルポンプ駆動２１との間の張り側スパンの走行をガイドするオイルポンプ用チェーンガイド３９が、ロアシリンダブロック４に保持されている。さらに、オイルポンプ用チェーン３１におけるクランク軸１０とオイルポンプ駆動２１との間の緩み側スパンには、オイルポンプ用チェーン３１の緩み側に張力を付与するオイルポンプ用チェーンテンショナ４０が、ロアシリンダブロック４に保持されている。
【００３６】
図１に示したタイミングチェーンシステムを備えたエンジン１の変速機側の側面（変速機取付け面）には、通常、図２に示すタイミングチェーンカバー４２が該変速機取付け面を覆うように設けられる。タイミングチェーンカバー４２は、各チェーンガイド３３、３６、３９、各チェーンテンショナアーム３４、３７、４０及び各チェーンテンショナ３５、３８を含め、各チェーン３０、３１、３２とは接しないように設けられる。なお、タイミングチェーンカバー４２におけるフライホイール締結プレート１３を露出する開口部の内壁面には、該フライホイール締結プレート１３の外周面を回動可能に支持するプレート支持部４２ａが設けられている。
【００３７】
（タイミングチェーンガイドの押さえ部及びオイルジェットの構成）
図３は本実施形態に係るタイミングチェーンガイドの構成を示し、図４はオイルジェットの構成を示している。また、図５は図１に示すタイミングチェーンガイド３３及びオイルジェット５０を含む領域の拡大斜視図を示している。図６は図５のVI−VI線における断面構成を示している。
【００３８】
図１及び図３に示すように、タイミングチェーンガイド３３は、チェーンの走行をガイドする別体の摺動部３３ｃを有している。さらに、タイミングチェーンガイド３３は、そのクランク軸１０側の端部から裏面側（シリンダブロック２側）に屈曲しながら延びる、該タイミングチェーンガイド３３と一体に形成された板状の押さえ部３３ａを有している。押さえ部３３ａは、その先端部の裏面（シリンダブロック２側の面）によってオイルジェット５０の端面（第２端部５０ｃ）と当接する。これにより、オイルジェット５０が油圧によりシリンダブロック２から抜け落ちることを防止できる。タイミングチェーンガイド３３は、２本のボルト４３によって、エンジン１のシリンダブロック２に取り付けられる。
【００３９】
オイルジェット５０は、図４に示すように、例えば、有底筒状であって、シリンダブロック２に設けられた内部油路と連通する開口部５０ａが設けられた第１端部５０ｂと、該第１端部５０ｂと反対側で且つタイミングチェーンガイド３３の押さえ部３３ａによって支持される第２端部５０ｃとを有している。オイルジェット５０の第２端部５０ｃの近傍における下面、すなわちロアシリンダブロック４側の側面にはオイル噴射口５０ｄが設けられており、該オイル噴射口５０ｄからオイル５５が噴射される。さらに、オイルジェット５０の側面における中間部には、例えば、オイル噴射口５０ｄの開口方向に延びると共に、廻り止め突起５０ｅを保持する廻り止め保持部５０ｆが設けられている。廻り止め突起５０ｅは、筒状のオイルジェット５０の回転を防止してその位置決めを行う突起部であり、シリンダブロック２の孔部に嵌合される。
【００４０】
図５は、図１におけるタイミングチェーンガイド３３を含む領域を部分的に拡大した斜視図である。また、図６は、図５のVI−VI線における気筒軸の下方向を示す断面図である。図５及び図６に示すように、本実施形態に係るオイルジェット５０は、タイミングチェーン３０におけるクランク軸スプロケット１１との噛み込み部の上側に配設されている。従って、オイルジェット５０のオイル噴射口５０ｄは、タイミングチェーン３０のクランク軸スプロケット１１との噛み込み部に向けられている。また、上述したように、タイミングチェーンガイド３３の押さえ部３３ａは、オイルジェット５０におけるシリンダブロック２と反対側の端部である第２端部５０ｃと当接して該オイルジェット５０を支持している。なお、図５においては、クランク軸１０に設けられたフライホイール締結プレート１３の図示を省略している。
【００４１】
一方、図６にはフライホイール締結プレート１３とタイミングチェーンカバー４２とを図示している。図６に示すように、タイミングチェーンガイド３３に設けられたオイルジェット５０用の押さえ部３３ａは、気筒軸方向から見て、該押さえ部３３ａの基部（タイミングチェーンガイド３３の本体部）が該押さえ部３３ａの先端部と比べて、シリンダブロック２の外側（エンジン１と反対側）にずれている。このように、押さえ部３３ａがオイルジェットの第２端部に対して、外側にずれた分だけ角度を付けて当接する。これにより、オイルジェット５０の長軸方向に作用する押さえ力（付勢力）が生じやすくなるので、該オイルジェット５０を適切に支持することができる。さらに、押さえ部３３ａを、オイルジェットの第２端部５０ｃを側方から押さえる板状としたことにより、該押さえ部３３ａが板ばねとして作用する。これにより、オイルジェット５０の第２端部５０ｃを適当な力で押さえることができる。すなわち、オイルジェット５０の内部に油圧が加わって、押さえ部３３ａの方向に抜けようとする力が発生した場合や、オイルジェット５０の長さが製造ばらつきによってノミナル長さよりも長く形成されてしまった場合に、オイルジェット５０に作用する反力が過剰になってしまうことを板ばね作用によって抑制することができる。
【００４２】
また、図３及び図６に示すように、押さえ部３３ａは、ボルト４３の近傍の部位から延びるように形成されているため、上述した板ばねの作用を効果的に得ることができる。具体的には、このような構成とすることにより、実質的に板ばねとして作用する部位を短く形成できるため、ボルト軸力を効率良く第２端部５０ｃに伝達することができるので、板ばね作用による効果と併せて、適切な力でオイルジェット５０を支持することができる。
【００４３】
さらに、押さえ部３３ａは、オイルジェット５０の第２端部５０ｃの幅寸法とほぼ同等の幅に設けられている。このため、該押さえ部３３ａをコンパクトに形成することができる。その結果、タイミングチェーン３０及びクランク軸スプロケット１１によって囲まれた領域が狭隘であっても、該タイミングチェーン３０がばたつく領域を避けて、当該押さえ部３３ａを配置することができる。なお、本実施形態に係るタイミングチェーンガイド３３のボルト４３の頂部は、タイミングチェーンカバー４２と接することはない。
【００４４】
また、本実施形態においては、クランク軸１０には、エンジン１側から第１スプロケットであるクランク軸スプロケット１１と、その外側の第２スプロケットであるオイルポンプ用チェーンスプロケット１２とが設けられている。本実施形態に係るオイルジェット５０は、内側（エンジン１側）のクランク軸スプロケット１１の噛み込み位置の近傍に配設されているので、オイルジェット５０と、クランク軸スプロケット１１及びタイミングチェーン３０との間隔を小さくすることができる。その結果、オイルジェット５０とクランク軸スプロケット１１及びタイミングチェーン３０との間隔が大きいときと比べて、オイルを確実に必要箇所に供給することができるため、オイルジェット５０への供給油量を相対的に少なくすることができるので、オイルポンプの油圧を下げることができる。
【００４５】
また、図６に示すように、本実施形態のように、リアチェーンシステムの場合には、オイルジェット５０をクランク軸スプロケット１１との噛み込み位置に近づけようとすると、クランク軸スプロケット１１の径がフライホイール締結プレート１３の径よりも小さいため、オイルジェット５０は、フライホイール締結プレート１３の裏側に隠れてしまう。しかしながら、本実施形態においては、オイルジェット５０を支持する押さえ部３３ａを、タイミングチェーンカバー４２ではなくタイミングチェーンガイド３３に設けているため、フライホイール締結プレート１３が該押さえ部３３ａの障害となることはなく、従って、エンジン１の全長を延ばすようなことも生じない。
【００４６】
以上説明したように、本実施形態によると、オイルジェット５０に起因するタイミングチェーンカバー４２からの放射音の発生を抑制しながら、ボルト等を用いることなく、すなわち、シリンダブロック２に専用のボス孔を設けることなくオイルジェット５０を支持可能なタイミングチェーン３０のオイル供給構造を得ることができる。
【００４７】
（第２の実施形態）
以下、本発明の第２の実施形態に係るタイミングチェーンシステムのオイル供給構造について図面を参照しながら説明する。
【００４８】
図７は第２の実施形態に係るタイミングチェーンガイドを含む領域を部分的に拡大した斜視図である。第２の実施形態において、第１の実施形態と同一の部材には同一の符号を付することにより、その説明を省略する。
【００４９】
図７に示すように、第２の実施形態に係るタイミングチェーンガイド３３Ａは、オイルジェット５０の外側（シリンダブロック２と反対側）の端部と当接する押さえ部３３ｂを２つのボルト４３の間の領域に設けている。具体的には、タイミングチェーンガイド３３Ａにおける２つのボルト４３の間の領域の内側（シリンダブロック２側）の面をオイルジェット５０の押さえ部３３ｂとしている。
【００５０】
押さえ部３３ｂをこのように構成すると、オイルジェット５０を、クランク軸スプロケット１１とタイミングチェーン３０との噛み合わせ部の近傍への配置はできないものの、タイミングチェーンガイド３３Ａから延設する突起状の押さえ部３３ａが不要となるので、タイミングチェーンガイド３３Ａの仕様及び製造が容易となる。
【００５１】
このような構成のタイミングチェーンガイド３３Ａにおいても、第１の実施形態と同様に、オイルジェット５０に起因するタイミングチェーンカバー４２からの放射音の発生を抑制しながら、ボルト等を用いることなくオイルジェット５０を支持可能なタイミングチェーン３０のオイル供給構造を得ることができる。
【００５２】
（他の実施形態）
第１及び第２の実施形態に係るタイミングチェーンのオイル供給構造は、車両用エンジンの変速機側にタイミングチェーン３０を設ける構成としたが、該タイミングチェーン３０が変速機と反対側の、すなわちフロント側に設ける、いわゆるフロントチェーンシステムを採るタイミングチェーンのオイル供給構造であってもよい。
【産業上の利用可能性】
【００５３】
本発明に係るタイミングチェーンシステムのオイル供給構造は、オイルジェットの支持構造による放射音を抑止できると共に、該オイルジェットを容易に支持可能なオイル供給構造として有用である。
【符号の説明】
【００５４】
１      エンジン（エンジン本体）
２      シリンダブロック
３      シリンダヘッド
１０    クランク軸
１１    クランク軸スプロケット（第１スプロケット）
１２    オイルポンプ用チェーンスプロケット（第２スプロケット）
１３    フライホイール締結プレート
１８    燃料ポンプ駆動軸
１９    燃料ポンプ用スプロケット
２０    カムチェーンスプロケット
２１    オイルポンプ駆動軸
２２    オイルポンプ用スプロケット
３０    タイミングチェーン
３１    オイルポンプ用チェーン
３２    カムチェーン
３３    タイミングチェーンガイド
３３ａ  押さえ部
３３Ａ  タイミングチェーンガイド
３３ｂ  押さえ部
３３ｃ  摺動部
３４    タイミングチェーンテンショナアーム
３５    タイミングチェーンテンショナ
４２    タイミングチェーンカバー
４２ａ  プレート支持部
４３    ボルト
５０    オイルジェット
５０ａ  開口部
５０ｂ  第１端部（一端部）
５０ｃ  第２端部（他端部）
５０ｄ  オイル噴射口
５０ｅ  廻り止め突起
５０ｆ  廻り止め保持部
【図１】
2018084214.tif 000003
【図２】
2018084214.tif 000004
【図３】
2018084214.tif 000005
【図４】
2018084214.tif 000006
【図５】
2018084214.tif 000007
【図６】
2018084214.tif 000008
【図７】
2018084214.tif 000009